(57)【要約】【課題】小型で且つ動作信頼性に優れる開閉装置を提供する。【解決手段】フューエルリッドの開閉装置１は、フューエルリッドを閉じる押込位置とフューエルリッドを開く突出位置とを往復するプッシュロッド１０と、プッシュロッドに対して相対回転可能にプッシュロッドに組み付けられ、軸方向にプッシュロッドと一体に移動するフォロア１３と、付勢部材１４と、ケース１６と、を備え、ケースは、プッシュロッドを回転させるロッド用カム部２５と、プッシュロッドの往動及び復動に応じてフォロアを回転させるフォロア用カム部２６と、を有しており、フォロア用カム部は、フォロアを係止することによってプッシュロッドを押込位置に保持する複数のフォロア係止部３６を含み、フォロア係止部は、押込位置と突出位置とを１往復する際のプッシュロッドの移動に伴うフォロアの回転の回転角度おきに設けられている。【選択図】図４
2014173422.tif 000002
【特許請求の範囲】
【請求項１】
フューエルリッドを係止する係止部を有し、中心軸まわりに回転可能に設けられ、前記係止部をフューエルリッドに係合させるロック姿勢と前記係止部をフューエルリッドから係脱させるアンロック姿勢との間を遷移し、且つ軸方向に移動可能に設けられ、フューエルリッドを閉じる押込位置とフューエルリッドを開く突出位置とを往復するプッシュロッドと、
前記中心軸まわりに前記プッシュロッドに対して相対回転可能に前記プッシュロッドに組み付けられ、前記軸方向に前記プッシュロッドと一体に移動するフォロアと、
前記プッシュロッドを突出方向に付勢する付勢部材と、
前記プッシュロッド及び前記フォロア並びに前記付勢部材を支持するケースと、
を備え、
前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、を有しており、
前記フォロア用カム部は、前記フォロアを係止することによって前記付勢部材による付勢に抗して前記プッシュロッドを前記押込位置に保持する複数のフォロア係止部を含み、該複数のフォロア係止部は、前記中心軸を中心として、前記押込位置と前記突出位置とを１往復する際の前記プッシュロッドの移動に伴う前記フォロアの回転の回転角度おきに設けられているフューエルリッドの開閉装置。
【請求項２】
請求項１に記載のフューエルリッドの開閉装置であって、
前記プッシュロッドの前記往動及び前記復動に伴う前記フォロアの回転の回転角度と、前記ロック姿勢と前記アンロック姿勢との間の前記プッシュロッドの回転角度とは互いに異なるフューエルリッドの開閉装置。
【請求項３】
請求項２に記載のフューエルリッドの開閉装置であって、
前記プッシュロッドの前記往動及び前記復動に伴う前記フォロアの回転の回転角度は、前記ロック姿勢と前記アンロック姿勢との間の前記プッシュロッドの回転角度よりも小さいフューエルリッドの開閉装置。
【請求項４】
請求項３に記載のフューエルリッドの開閉装置であって、
前記フォロアの回転に伴って該フォロアに摺接する前記フォロア用カム部のカム面の前記軸方向の長さは、前記プッシュロッドの回転に伴って該プッシュロッドに摺接する前記ロッド用カム部のカム面の前記軸方向の長さよりも短いフューエルリッドの開閉装置。
【請求項５】
請求項１に記載のフューエルリッドの開閉装置であって、
前記プッシュロッドの前記往動において、前記プッシュロッドの回転に伴って該プッシュロッドに摺接する前記ロッド用カム部のカム面と前記プッシュロッドとが係合するタイミングと、前記フォロアの回転に伴って該フォロアに摺接する前記フォロア用カム部のカム面と前記フォロアとが係合するタイミングとは互いに異なるフューエルリッドの開閉装置。
【請求項６】
請求項５に記載のフューエルリッドの開閉装置であって、
前記プッシュロッドが前記ロッド用カム部の前記カム面に係合し、その後に前記フォロアが前記フォロア用カム部の前記カム面に係合するフューエルリッドの開閉装置。
【請求項７】
請求項６に記載のフューエルリッドの開閉装置であって、
前記プッシュロッドが前記ロッド用カム部の前記カム面から係脱し、それと同時に又はその後に前記フォロアが前記フォロア用カム部の前記カム面に係合するフューエルリッドの開閉装置。
【請求項８】
請求項１に記載のフューエルリッドの開閉装置であって、
前記プッシュロッドの前記復動において、前記プッシュロッドの回転に伴って該プッシュロッドに摺接する前記ロッド用カム部のカム面から前記プッシュロッドが係脱するタイミングと、前記フォロアの回転に伴って該フォロアに摺接する前記フォロア用カム部のカム面から前記フォロアが係脱するタイミングとは互いに異なるフューエルリッドの開閉装置。
【請求項９】
請求項８に記載のフューエルリッドの開閉装置であって、
前記フォロアが前記フォロア用カム部の前記カム面から係脱し、その後に前記プッシュロッドが前記ロッド用カム部の前記カム面から係脱するフューエルリッドの開閉装置。
【請求項１０】
請求項９に記載のフューエルリッドの開閉装置であって、
前記フォロアが前記フォロア用カム部の前記カム面から係脱し、それと同時に又はその後に前記プッシュロッドが前記ロッド用カム部の前記カム面に係合するフューエルリッドの開閉装置。
【請求項１１】
請求項１に記載のフューエルリッドの開閉装置であって、
前記フォロアは、環状に形成され、前記プッシュロッドに外嵌しているフューエルリッドの開閉装置。
【請求項１２】
請求項１に記載のフューエルリッドの開閉装置であって、
前記ケースは、第１部材と、前記軸方向に該第１部材に組み付けられる第２部材とを含み、
前記プッシュロッドが押込方向に移動される際に該プッシュロッドが摺動する前記ロッド用カム部のカム面及び前記フォロアが摺動する前記フォロア用カム部のカム面は前記第１部材に設けられており、
前記プッシュロッドが突出方向に移動される際に該プッシュロッドが摺動する前記ロッド用カム部のカム面及び前記フォロアが摺動する前記フォロア用カム部のカム面は前記第２部材に設けられているフューエルリッドの開閉装置。
【請求項１３】
請求項１に記載のフューエルリッドの開閉装置であって、
前記プッシュロッドが押込位置に保持された状態で該プッシュロッドをロックする施錠部をさらに備えるフューエルリッドの開閉装置。
【請求項１４】
請求項１３に記載のフューエルリッドの開閉装置であって、
前記施錠部は、前記プッシュロッドの前記ロッド用カム部との係合部を係止するフューエルリッドの開閉装置。
【請求項１５】
前後に開閉するフラップを係止する係止部を有し、中心軸まわりに回転可能に設けられ、前記係止部をフラップに係合させるロック姿勢とアンロック姿勢との間で遷移し、且つ軸方向に移動可能に設けられ、フラップを閉じる押込位置とフラップを開く突出位置とを往復するプッシュロッドと、
前記中心軸まわりに前記プッシュロッドに対して相対回転可能に前記プッシュロッドに組み付けられ、前記軸方向に前記プッシュロッドと一体に移動するフォロアと、
前記プッシュロッドを突出方向に付勢する付勢部材と、
前記プッシュロッド及び前記フォロア並びに前記付勢部材を支持するケースと、
を備え、
前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、を有しており、
前記フォロア用カム部は、前記フォロアを係止することによって前記付勢部材による付勢に抗して前記プッシュロッドを前記押込位置に保持する複数のフォロア係止部を含み、該複数のフォロア係止部は、前記中心軸を中心として、前記押込位置と前記突出位置とを１往復する際の前記プッシュロッドの移動に伴う前記フォロアの回転の回転角度おきに設けられているフラップの開閉装置。
【発明の詳細な説明】
【技術分野】
【０００１】
本発明は、フューエルリッドの開閉装置、及び前後に開閉する扉や蓋などのフラップの開閉装置に関する。
【背景技術】
【０００２】
自動車等の車両において、燃料補給口を覆うフューエルリッドは、一般にヒンジを介して車体に取り付けられており、ヒンジを支点に回動して前後に開閉する。そして、フューエルリッドの開閉装置として、開方向にフューエルリッドを押圧するプッシュロッドを備え、閉方向へのフューエルリッドに対する押し込み操作に伴って押し込まれたプッシュロッドを押込位置に保持してフューエルリッドを閉じ、再度のフューエルリッドに対する押し込み操作に伴ってプッシュロッドを突き出してフューエルリッドを開く開閉装置が知られている（例えば、特許文献１、２参照）。
【０００３】
特許文献１に記載された開閉装置は、ハート形状に形成されたカム溝を有するハートカムと、ハートカムのカム溝に係合するタペットと、タペットとプッシュロッドとを連結するロッカーとを備え、カム溝の所定の箇所には段差が形成されている。タペットはプッシュロッドの押込方向及び突出方向への移動に連動してカム溝を移動され、タペットがカム溝の段差に係止されることによってプッシュロッドは押込位置に保持される。そして、プッシュロッドの先端部にはフューエルリッドを係止するリッド係止部が設けられている。プッシュロッドは、突出位置から押込位置に移動される過程で中心軸まわりに所定の回転角度（例えば９０°）で正回転され、それによりリッド係止部をフューエルリッドに係合させてフューエルリッドをロックし、また、押込位置から突出位置に移動される過程で中心軸まわりに上記所定の回転角度で逆回転され、それによりリッド係止部をフューエルリッドから係脱させてフューエルリッドをアンロックする。
【０００４】
特許文献２に記載された開閉装置は、プッシュロッドを収容するホルダ及びスリーブを備え、ホルダには、螺旋状に形成された複数の勾配面からなる第１ガイド部が設けられており、プッシュロッドには、これらの勾配面にそれぞれ係合する複数のガイド突起が設けられている。プッシュロッドは、フューエルリッドに対する押し込み操作毎に、ホルダの第１ガイド部によって所定の回転角度（例えば略４５°）で一方向に回転される。そして、スリーブには、プッシュロッドに沿って延びて形成された複数の長溝及び複数の浅溝からなる第２ガイド部が設けられており、これらの長溝及び浅溝は、スリーブの周方向に交互に配置されている。プッシュロッドは、フューエルリッドに対する押し込み操作毎の回転に応じて、ガイド突起群を第２ガイド部の長溝群及び浅溝群に交互に係合させ、ガイド突起群を浅溝群に係合させることによって押込位置に保持され、また、ガイド突起群を長溝群に係合させることによって突出位置への移動を許容される。
【先行技術文献】
【特許文献】
【０００５】
【特許文献１】国際公開第２００８／０５９５４３号
【特許文献２】米国特許出願公開第２００９／０１３９９９１号明細書
【発明の概要】
【発明が解決しようとする課題】
【０００６】
特許文献１に記載された開閉装置は、ロッカーを介してプッシュロッドとタペットとを連動させ、このタペットを係止してプッシュロッドを押込位置に保持しており、機構が複雑である。そのため装置を小型化することが難しい。
【０００７】
特許文献２に記載された開閉装置は、プッシュロッドを用いてフューエルリッドをロックするものではないが、特許文献１に記載された開閉装置と同様に、フューエルリッドに対する押し込み操作毎に回転されるプッシュロッドの先端部にリッド係止部を設けてフューエルリッドをロックするように構成することもできる。この場合に、リッド係止部をフューエルリッドに係合させ又はフューエルリッドから係脱させるためのプッシュロッドの回転は、ガイド突起群と第１ガイド部との係合に基づき、ガイド突起群を第２ガイド部の長溝群及び浅溝群に交互に係合させるためのプッシュロッドの回転に従うことになる。
【０００８】
ここで、プッシュロッドの回転角度が小さいと、フューエルリッドとリッド係止部との係合代が十分に得られず、ロック強度が不足する虞がある。フューエルリッドとリッド係止部との係合代を確保するためにプッシュロッドの回転角度を大きくすると、プッシュロッドの移動方向に関する第１ガイド部の勾配面の長さとの関係で、これらの勾配面の勾配が緩くなり、プッシュロッドの移動及び回転に支障をきたす虞がある。
【０００９】
また、フューエルリッドを閉じる際のフューエルリッドに対する押し込み操作が途中で中止された場合に、リッド係止部をフューエルリッドに係合させることなくプッシュロッドが押込位置に保持されてしまう虞がある。そして、フューエルリッドを開く際には、プッシュロッドに押圧されたフューエルリッドが跳ね上がる虞がある。
【００１０】
本発明は、上述した事情に鑑みなされたものであり、小型で且つ動作信頼性に優れる開閉装置を提供することを目的としている。
【課題を解決するための手段】
【００１１】
上記目的を踏まえ、フューエルリッドを係止する係止部を有し、中心軸まわりに回転可能に設けられ、前記係止部をフューエルリッドに係合させるロック姿勢と前記係止部をフューエルリッドから係脱させるアンロック姿勢との間を遷移し、且つ軸方向に移動可能に設けられ、フューエルリッドを閉じる押込位置とフューエルリッドを開く突出位置とを往復するプッシュロッドと、前記中心軸まわりに前記プッシュロッドに対して相対回転可能に前記プッシュロッドに組み付けられ、前記軸方向に前記プッシュロッドと一体に移動するフォロアと、前記プッシュロッドを突出方向に付勢する付勢部材と、前記プッシュロッド及び前記フォロア並びに前記付勢部材を支持するケースと、を備え、前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、前記フォロアを係止し、前記付勢部材による付勢に抗して前記プッシュロッドを前記押込位置に保持する複数のフォロア係止部と、を有しており、前記複数のフォロア係止部は、前記中心軸を中心として、前記押込位置と前記突出位置とを１往復する前記プッシュロッドの移動に伴う前記フォロアの回転の回転角度おきに設けられているフューエルリッドの開閉装置を提供する。
【００１２】
また、上記目的を踏まえ、前後に開閉するフラップを係止する係止部を有し、中心軸まわりに回転可能に設けられ、前記係止部をフラップに係合させるロック姿勢とアンロック姿勢との間で遷移し、且つ軸方向に移動可能に設けられ、フラップを閉じる押込位置とフラップを開く突出位置とを往復するプッシュロッドと、前記中心軸まわりに前記プッシュロッドに対して相対回転可能に前記プッシュロッドに組み付けられ、前記軸方向に前記プッシュロッドと一体に移動するフォロアと、前記プッシュロッドを突出方向に付勢する付勢部材と、前記プッシュロッド及び前記フォロア並びに前記付勢部材を支持するケースと、を備え、前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、前記フォロアを係止し、前記付勢部材による付勢に抗して前記プッシュロッドを前記押込位置に保持する複数のフォロア係止部と、を有しており、前記複数のフォロア係止部は、前記中心軸を中心として、前記押込位置と前記突出位置とを１往復する際の前記プッシュロッドの移動に伴う前記フォロアの回転の回転角度おきに設けられているフラップの開閉装置を提供する。
【発明の効果】
【００１３】
本発明によれば、小型で且つ動作信頼性に優れる開閉装置を提供することができる。
【図面の簡単な説明】
【００１４】
【図１】例示的な実施形態を説明するための開閉装置の一例の構成を示す図である。
【図２】図１の開閉装置のプッシュロッドの動作を示す図である。
【図３】図１の開閉装置の詳細な構成を示す図である。
【図４】図３の開閉装置を分解して示す図である。
【図５】図３におけるＶ−Ｖ線断面を示し、図３の開閉装置のプッシュロッドを回転させるためのロッド用カム部の構成を示す図である。
【図６】図３におけるＶＩ−ＶＩ線断面を示し、図３の開閉装置のフォロアを回転させるためのフォロア用カム部の構成を示す図である。
【図７】図３の開閉装置のプッシュロッド及びフォロアの構成を示す図である。
【図８】図３の開閉装置のプッシュロッドとロッド用カム部との係合及びフォロアとフォロア用カム部との係合を模式的に示す図である。
【図９】図３の開閉装置のプッシュロッド及びフォロアを回転させるカム機構の動作を模式的に示す図である。
【図１０】図３の開閉装置のプッシュロッド及びフォロアを回転させるカム機構の動作を模式的に示す図である。
【図１１】図３の開閉装置のプッシュロッドをロックする施錠部の構成を示す図である。
【図１２】図１１の施錠部の動作を示す図である。
【発明を実施するための形態】
【００１５】
図１は例示的な実施形態を説明するための開閉装置の一例の構成を示す。
【００１６】
図１に示す開閉装置１は、自動車の燃料補給口２を覆うフューエルリッド３の開閉装置である。フューエルリッド３は、ヒンジ４を介して車体５に組み付けられており、ヒンジ４を支点に回動して前後に開閉する。開閉装置１は、フューエルリッド３の自由端部の裏面に対向して配置され、車体５に組み付けられている。
【００１７】
開閉装置１は、フューエルリッド３を開方向に押圧するプッシュロッド１０を備えている。プッシュロッド１０は、軸方向に移動可能に設けられており、閉方向へのフューエルリッド３に対する押し込み操作に伴って押し込まれる。開閉装置１は、押し込まれたプッシュロッド１０を押込位置Ｐ１に保持してフューエルリッド３を閉じ、再度のフューエルリッド３に対する押し込み操作によってプッシュロッド１０を突出位置Ｐ２まで突き出してフューエルリッド３を開く。
【００１８】
また、プッシュロッド１０は、中心軸Ｏまわりに回転可能に設けられており、押込位置Ｐ１と突出位置Ｐ２とを往復する際の軸方向の移動に伴って回転される。そして、プッシュロッド１０の先端部には、フューエルリッド３を係止するリッド係止部１１が設けられており、プッシュロッド１０は、その回転に応じてリッド係止部１１をフューエルリッド３に係合させてフューエルリッド３をロックし、またリッド係止部１１をフューエルリッド３から係脱させてフューエルリッド３をアンロックする。
【００１９】
リッド係止部１１は、図示の例では、プッシュロッド１０の中心軸Ｏに関して回転対称に、略長方形の板状に形成されている。そして、リッド係止部１１と係合するフューエルリッド３の被係止部１２には、リッド係止部１１よりも若干大きい略長方形状に形成された開口１２ａが設けられており、被係止部１２はリッド係止部１１を収容可能に構成されている。
【００２０】
図２はフューエルリッド３をロック／アンロックする際のプッシュロッド１０の動作を示す。
【００２１】
プッシュロッド１０が突出位置Ｐ２にあるときに、プッシュロッド１０は、リッド係止部１１の長辺をフューエルリッド３の被係止部１２の開口１２ａの長辺に略平行させる姿勢（アンロック姿勢）となっている。
【００２２】
フューエルリッド３に対する押し込み操作に伴って、まず、プッシュロッド１０のリッド係止部１１がフューエルリッド３の被係止部１２の開口１２ａを通して被係止部１２に収容される。フューエルリッド３に対する更なる押し込み操作に伴って、プッシュロッド１０は押し込まれ、押込位置Ｐ１に保持される。この突出位置Ｐ２から押込位置Ｐ１への往動の過程で、プッシュロッド１０は所定の角度θで回転される。押込位置Ｐ１に保持されたプッシュロッド１０は、リッド係止部１１の長辺をフューエルリッド３の被係止部１２の開口の長辺に交差させる姿勢（ロック姿勢）となっており、リッド係止部１１を被係止部１２に係合させている。これにより、フューエルリッド３は閉状態でロックされる。なお、本例では、プッシュロッド１０の回転角度θは略９０°とされている。
【００２３】
フューエルリッド３に対する再度の押し込み操作に伴って、プッシュロッド１０は、一旦押し込まれた後に突出位置Ｐ２まで移動される。この押込位置Ｐ１から突出位置Ｐ２への復動の過程で、プッシュロッド１０は、往動の際とは逆方向に上記所定の角度で回転されて上記アンロック姿勢に遷移し、リッド係止部１１をフューエルリッド３の被係止部１２から係脱させる。これにより、フューエルリッド３はアンロックされる。
【００２４】
図３及び図４は開閉装置１の詳細な構成を示す。
【００２５】
開閉装置１は、上述のプッシュロッド１０と、フォロア１３と、プッシュロッド１０を突出方向に付勢するコイルばね（付勢部材）１４と、押込位置Ｐ１に保持されたプッシュロッド１０をロックする施錠部１５と、ケース１６とを備えている。
【００２６】
ケース１６は、コイルばね１４の反力を受け止めるベース（第１部材）２０と、ベース２０を車体５に固定するホルダ（第２部材）２１とを含んで構成されている。ベース２０は支持軸２２を有しており、支持軸２２はプッシュロッド１０と同軸に配置されている。ホルダ２１は、支持軸２２の軸方向にベース２０に組み付けられている。
【００２７】
プッシュロッド１０は、リッド係止部１１が設けられている先端部を閉じられた略円筒状に形成されており、ベース２０に設けられた支持軸２２に外嵌している。プッシュロッド１０は、支持軸２２によって、軸方向に移動可能に且つ中心軸Ｏまわりに回転可能に支持されている。
【００２８】
コイルばね１４は、支持軸２２に外嵌するプッシュロッド１０の内部に収容され、支持軸２２の軸方向中央部に形成された段差部２２ａとプッシュロッド１０の先端部との間に挟まれている。コイルばね１４は、プッシュロッド１０の押込方向への移動に伴って圧縮され、プッシュロッド１０を突出方向に付勢する。
【００２９】
フォロア１３は、中心軸Ｏまわりにプッシュロッド１０に対して相対回転可能に且つプッシュロッド１０の軸方向にプッシュロッド１０と一体に移動するように構成されている。図示の例では、プッシュロッド１０の基端部の外周面に、この外周面を周回する嵌合溝２３が形成されており、フォロア１３は、円環状に形成され、この嵌合溝２３に外嵌している。
【００３０】
なお、フォロア１３を、プッシュロッド１０の軸方向にプッシュロッド１０と整列させてもよいが、図示の例のように、フォロア１３をプッシュロッド１０の嵌合溝２３に外嵌させることにより、プッシュロッド１０及びフォロア１３の全長を短縮することができ、開閉装置１を小型化することができる。
【００３１】
ケース１６には、プッシュロッド１０及びフォロア１３を収容する収容部２４が設けられている。収容部２４は、略円筒状に形成されており、支持軸２２と同軸に配置されている。そして、この収容部２４には、プッシュロッド１０を回転させるためのロッド用カム部２５と、プッシュロッド１０とは独立してフォロア１３を回転させるためのフォロア用カム部２６とが設けられており、プッシュロッド１０には、ロッド用カム部２５と係合してカム機構を構成する摺動子４０が設けられ、また、フォロア１３には、フォロア用カム部２６と係合してカム機構を構成する複数の摺動子４１が設けられている。
【００３２】
以下、プッシュロッド１０及びフォロア１３を回転させるカム機構について説明する。
【００３３】
図５はロッド用カム部２５の構成を示し、図６はフォロア用カム部２６の構成を示す。なお、図５及び図６において、支持軸２２はその一部を破断して示されている。また、図７はプッシュロッド１０及びフォロア１３の構成を示し、併せてプッシュロッド１０及びフォロア１３のケース１６への組み込み方法の一例を示す。また、図８はプッシュロッド１０とロッド用カム部２５との係合、及びフォロア１３とフォロア用カム部２６との係合を模式的に示す。なお、図８において、プッシュロッド１０及びフォロア１３は、それらの摺動子４０，４１のみが示されている。
【００３４】
図５に示すように、ロッド用カム部２５は、収容部２４を内外に貫通して形成されたカム孔３０及びガイド孔３１，３２を含んで構成されている。
【００３５】
カム孔３０は、支持軸２２を中心に螺旋状に延びて形成されており、その旋回角度θは、上記アンロック姿勢から上記ロック姿勢に遷移し、また、その逆に遷移する際のプッシュロッド１０の回転角度θに対応した角度（略９０°）とされている。
【００３６】
ガイド孔３１は、支持軸２２の先端側に位置するカム孔３０の端に連なり、支持軸２２に沿って延びて形成されている。ガイド孔３２は、支持軸２２の基端側に位置するカム孔３０の端に連なり、支持軸２２に沿って延びて形成されている。
【００３７】
図６に示すように、フォロア用カム部２６は、収容部２４の内径側に突出して形成された第１カム突起３３及び複数の第２カム突起３４を含んで構成されている。そして、このフォロア用カム部２６には、押込位置Ｐ１と突出位置Ｐ２とを往復する際のプッシュロッド１０の軸方向の移動に伴うフォロア１３の軸方向の移動を案内する複数のフォロアガイド部３５と、コイルばね１４による付勢に抗してプッシュロッド１０を押込位置Ｐ１に保持するようにフォロア１３を係止する複数のフォロア係止部３６とが設けられている。
【００３８】
第１カム突起３３は、収容部２４の底に設けられており、環状に形成されている。支持軸２２の先端側に位置する第１カム突起３３の端部には、支持軸２２を中心とする所定の回転方向Ａに下り勾配となるカム面３３ａが繰り返し形成されている。
【００３９】
第２カム突起３４は、支持軸２２に沿って延びて形成されており、支持軸２２の軸方向に第１カム突起３３との間に間隔をあけて配置され、且つ支持軸２２を中心に所定の角度φおきに互いに間隔をあけて配置されている。そして、支持軸２２の基端側に位置する第２カム突起３４の端部には、第１カム突起３３のカム面３３ａとは逆に回転方向Ａに上り勾配となるカム面３４ａ，３４ｂが形成されている。両カム面３４ａ，３４ｂは不連続となっており、それらの間には支持軸２２の軸方向に段差が設けられている。なお、本例では、第２カム突起３４の配置角度φは略６０°とされている。
【００４０】
閉じ括弧
フォロアガイド部３５は、隣り合う二つの第２カム突起３４の間に、支持軸２２に沿って延びる溝として構成されている。
【００４１】
フォロア係止部３６は、カム面３４ａ，３４ｂが形成されている第２カム突起３４の端部に設けられている。図示の例では、両カム面３４ａ，３４ｂの間の段差として構成されている。なお、フォロア係止部３６は、両カム面３４ａ，３４ｂとの間で、支持軸２２に沿って延びる溝として構成することもできる。
【００４２】
図８も参照して、フォロアガイド部３５及びフォロア係止部３６は交互に配置されており、且つフォロアガイド部３５の群は、第２カム突起３４の配置に従って支持軸２２を中心に角度φおきに配置されており、フォロア係止部３６の群もまた第２カム突起３４の配置に従って支持軸２２を中心に角度φおきに配置されている。そして、フォロアガイド部３５及びフォロア係止部３６は、第１カム突起３３のいずれかのカム面３３ａの下縁の直上に配置され、回転方向Ａに隣り合う二つのカム面３３ａに跨って配置されている。
【００４３】
図７及び図８に示すように、プッシュロッド１０の摺動子４０は、プッシュロッド１０の外径側に突出して形成されており、ロッド用カム部２５のカム孔３０に挿通される。そして、摺動子４０は、プッシュロッド１０が押込方向に移動されるのに伴って、支持軸２２の先端側を向くカム孔３０の側面（カム面）３０ａを摺動し、また、プッシュロッド１０が突出方向に移動されるのに伴って、支持軸２２の基端側を向くカム孔３０の側面（カム面）３０ｂを摺動し、カム孔３０に沿って移動される。それにより、プッシュロッド１０は正逆回転される。
【００４４】
また、フォロア１３の複数の摺動子４１は、フォロア１３の外径側に突出して形成され、プッシュロッド１０の中心軸Ｏを中心に角度φおきに互いに間隔をあけて配置されており、フォロア用カム部２６の第１カム突起３３と第２カム突起３４との間に収容される。そして、摺動子４１は、プッシュロッド１０が押込方向に移動されるのに伴って、第１カム突起３３のカム面３３ａを摺動し、また、プッシュロッド１０が突出方向に移動されるのに伴って、第２カム突起３４のカム面３４ａ，３４ｂを摺動する。それにより、フォロア１３は回転方向Ａに回転される。なお、カム面３３ａに摺接する摺動子４１の接触面４１ａはカム面３３ａと整合する傾斜面とされており、またカム面３４ａ，３４ｂに摺接する摺動子４１の接触面４１ｂはカム面３４ａ，３４ｂと整合する傾斜面とされている。
【００４５】
ここで、収容部２４は、ロッド用カム部２５のカム孔３０及びガイド孔３１，３２に沿って第１部分２４ａと第２部分２４ｂとに二分割されている。
【００４６】
第１部分２４ａは、ベース２０に設けられており、プッシュロッド１０が押込方向に移動されるのに伴ってプッシュロッド１０の摺動子４０が摺動するカム孔３０の側面３０ａと、フォロア１３の摺動子４１が摺動する第１カム突起３３のカム面３３ａとを含んで構成されている。
【００４７】
第２部分２４ｂは、ホルダ２１に設けられており、プッシュロッド１０が突出方向に移動されるのに伴ってプッシュロッド１０の摺動子４０が摺動するカム孔３０の側面３０ｂと、フォロア１３の摺動子４１が摺動する第２カム突起３４のカム面３４ａ，３４ｂとを含んで構成されている。
【００４８】
以上の構成において、プッシュロッド１０及びフォロア１３が支持軸２２に装着された状態で、ベース２０に対してホルダ２１を組み付けるようにすれば、自ずとプッシュロッド１０の摺動子４０はカム孔３０に挿通され、またフォロア１３の複数の摺動子４１の各々は、第１カム突起３３と複数の第２カム突起３４のうちの対応する第２カム突起３４との間にそれぞれ配置されて、プッシュロッド１０及びフォロア１３が収容部２４に収容される。それにより、開閉装置１の組み立てが容易となる。
【００４９】
図９（Ａ）〜図９（Ｅ）は突出位置Ｐ２から押込位置Ｐ１へのプッシュロッド１０の往動に伴うカム機構の動作を模式的に示し、図１０（Ａ）〜図１０（Ｅ）は押込位置Ｐ１から突出位置Ｐ２へのプッシュロッド１０の復動に伴うカム機構の動作を示す。なお、図９（Ａ）〜図９（Ｅ）、及び図１０（Ａ）〜図１０（Ｅ）において、フォロア１３の複数の摺動子４１は、一部を省略して一つのみ示されている。
【００５０】
まず、プッシュロッド１０の往動に伴うカム機構の動作を説明する。
【００５１】
図９（Ａ）に示すように、プッシュロッド１０が突出位置Ｐ２にあるとき、プッシュロッド１０の摺動子４０はロッド用カム部２５のガイド孔３１に位置しており、また、フォロア１３の摺動子４１はフォロア用カム部２６のフォロアガイド部３５に位置している。なお、図示の例では、摺動子４１をフォロアガイド部３５の閉塞端の端面３５ａに当接させることによってフォロア１３が係止され、それによりプッシュロッド１０は突出位置Ｐ２に保持されている。
【００５２】
図９（Ｂ）に示すように、フューエルリッド３に対する押し込み操作に伴って、プッシュロッド１０が押し込まれる。プッシュロッド１０の押込方向への移動に伴って、プッシュロッド１０の摺動子４０がカム孔３０に進入する。一方、フォロア１３の摺動子４１は、依然としてフォロアガイド部３５に位置している。
【００５３】
続いて、図９（Ｃ）に示すように、プッシュロッド１０の押込方向への更なる移動に伴って、プッシュロッド１０の摺動子４０がカム孔３０の側面３０ａを摺動する。それにより、プッシュロッド１０はカム孔３０の旋回角度θだけ回転される。この過程で、プッシュロッド１０は、上述のとおりリッド係止部１１をフューエルリッド３に係合させ、フューエルリッド３をロックする。一方、フォロア１３の摺動子４１は、依然としてフォロアガイド部３５に位置しており、フォロア１３は回転されることなく軸方向に移動される。
【００５４】
続いて、図９（Ｄ）に示すように、プッシュロッド１０の押込方向への更なる移動に伴って、プッシュロッド１０の摺動子４０はガイド孔３２に進入する。以後、プッシュロッド１０は回転されることなく軸方向に移動される。一方、フォロア１３の摺動子４１は、フォロアガイド部３５から脱し、摺接面４１ａを下に位置する第１カム突起３３のカム面３３ａに係合させ、このカム面３３ａを摺動する。それにより、フォロア１３は回転方向Ａに回転される。
【００５５】
そして、図９（Ｅ）に示すように、フューエルリッド３に対する押し込み操作が解除されると、プッシュロッド１０はコイルばね１４に付勢されて突出方向に移動される。このプッシュロッド１０の突出方向への移動に伴い、フォロア１３の摺動子４１は、摺接面４１ｂを上に位置する第２カム突起３４のカム面３４ａに係合させ、このカム面３４ａを摺動する。摺動子４１とカム面３３ａ，３４ａとの係合によりフォロア１３は回転方向Ａに角度φ１回転され、摺動子４１をフォロア係止部３６に係合させ、フォロア係止部３６によって係止される。それにより、プッシュロッド１０は押込位置Ｐ１に保持される。
【００５６】
次に、プッシュロッド１０の復動に伴うカム機構の動作を説明する。
【００５７】
図１０（Ａ）に示すように、プッシュロッド１０が押込位置Ｐ１にあるとき、プッシュロッド１０の摺動子４０はロッド用カム部２５のガイド孔３２に位置しており、また、フォロア１３の摺動子４１はフォロア用カム部２６のフォロア係止部３６に位置している。
【００５８】
図１０（Ｂ）に示すように、フューエルリッド３に対する押し込み操作に伴って、プッシュロッド１０が一旦押し込まれる。プッシュロッド１０の押込方向への移動に伴って、フォロア１３の摺動子４１は、フォロア係止部３６を脱し、摺接面４１ａを下に位置する第１カム突起３３のカム面３３ａに係合させ、このカム面３３ａを摺動する。それにより、フォロア１３は回転方向Ａに回転される。一方、プッシュロッド１０の摺動子４０は、依然としてガイド孔３２に位置しており、プッシュロッド１０は回転されることなく軸方向に移動される。
【００５９】
続いて、図１０（Ｃ）に示すように、フューエルリッド３の押し込み操作が解除されると、プッシュロッド１０はコイルばね１４に付勢されて突出方向に移動される。プッシュロッド１０の突出方向への移動に伴い、フォロア１３の摺動子４１は、摺接面４１ｂを上に位置する第２カム突起３４のカム面３４ｂに係合させ、このカム面３４ｂを摺動する。摺動子４１とカム面３３ａ，３４ｂとの係合によりフォロア１３は回転方向Ａに角度φ２回転され、摺動子４１をフォロアガイド部３５に進入させる。
【００６０】
続いて、図１０（Ｄ）に示すように、プッシュロッド１０の突出方向への更なる移動に伴って、プッシュロッド１０の摺動子４０がカム孔３０に進入し、カム孔３０の側面３０ｂを摺動する。それにより、プッシュロッド１０は、カム孔３０の旋回角度θだけ回転される。その際、プッシュロッド１０は、上述のとおりリッド係止部１１をフューエルリッド３から係脱させ、フューエルリッド３をアンロックする。
【００６１】
そして、図１０（Ｅ）に示すように、フォロア１３の摺動子４１がフォロアガイド部３５の閉塞端の端面３５ａに当接し、フォロア１３が係止される。それにより、プッシュロッド１０は突出位置Ｐ２に保持される。
【００６２】
フューエルリッド３に対する押し込み操作毎に、以上のカム機構の動作が交互に繰り返され、プッシュロッド１０は角度θで正方向及び逆方向に交互に回転され、フォロア１３は回転方向Ａに角度φ１及び角度φ２で交互に回転される。そして、フューエルリッド３に対する二度の押し込み操作によって、プッシュロッド１０は押込位置Ｐ１と突出位置Ｐ２とを１往復し、その過程でプッシュロッド１０は角度θで正逆回転されて元の姿勢に復帰し、フォロア１３は、フォロアガイド部３５やフォロア係止部３６の配置角度であり複数の摺動子４１の配置角度でもある角度φ（φ＝φ１＋φ２）で回転されて元の姿勢に復帰する。なお、図示の例では、プッシュロッド１０の往動の過程でのフォロア１３の回転角度φ１と、プッシュロッド１０の復動の過程でのフォロア１３の回転角度φ２とはいずれも略３０°とされているが、互いに異なっていてもよい。
【００６３】
ここで、フォロア１３の回転角度φ１，φ２（略３０°）と、プッシュロッド１０の回転角度θ（略９０°）とは互いに異なり、フォロア１３の回転角度φ１，φ２が相対的に小さく、プッシュロッド１０の回転角度θが相対的に大きくなるように設定されている。フォロア１３の回転角度φ１，φ２を相対的に小さくすることにより、フォロア１３を円滑に回転させるに足るカム面３３ａ，３４ａ，３４ｂの勾配を維持して、これらのカム面３３ａ，３４ａ，３４ｂの軸方向の長さｌ１，ｌ２，ｌ３を、カム孔３０の側面３０ａ，３０ｂの軸方向の長さＬよりも短くでき、開閉装置１を小型化することができる。一方、プッシュロッド１０の回転角度θを相対的に大きくすることにより、プッシュロッド１０のリッド係止部１１とフューエルリッド３の被係止部１２との係合代を十分に確保して、フューエルリッド３のロック強度を高めることができる。
【００６４】
また、図９（Ａ）〜図９（Ｅ）に示したプッシュロッド１０の往動の過程で、プッシュロッド１０の摺動子４０がカム孔３０の側面３０ａに係合し、その後にフォロア１３の摺動子４１が第１カム突起３３のカム面３３ａに係合しており、プッシュロッド１０の回転が先に開始されている。プッシュロッド１０の回転を先に開始させることにより、フォロア１３の回転が開始される時点で、プッシュロッド１０のリッド係止部１１とフューエルリッド３の被係止部１２との間に両者の係合を維持するに足る係合代を確保しておくことができる。それにより、プッシュロッド１０が最も押し込まれる手前でフューエルリッド３に対する押し込み操作が中止された場合に、コイルばね１４に付勢されてプッシュロッド１０は突出方向に移動されるが、その際のフォロア１３の摺動子４１と第２カム突起３４のカム面３４ａとの係合に伴う衝撃によってリッド係止部１１と被係止部１２との係合が外れてしまうことを防止でき、プッシュロッド１０のみが押込位置Ｐ１に保持されてしまうことを防止できる。好ましくは、摺動子４０がカム孔３０の側面３０ａから係脱してプッシュロッド１０の回転が完了すると同時に、若しくはプッシュロッド１０の回転が完了した後に、摺動子４１が第１カム突起３３のカム面３３ａに係合してフォロア１３の回転が開始される。
【００６５】
なお、プッシュロッド１０の往動の過程でのプッシュロッド１０及びフォロア１３の回転開始のタイミングの相対的な関係は、プッシュロッド１０の摺動子４０とフォロア１３の摺動子４１との間の軸方向の距離Ｄ１、及び摺動子４０との係合の始点となるカム孔３０の側面３０ａの上縁と摺動子４１との係合の始点となる第１カム突起３３のカム面３３ａの上縁との間の軸方向の距離ｄ１の関係に基づいて適宜設定でき、距離ｄ１を距離Ｄ１よりも大きくすることによって、プッシュロッド１０の回転を先に開始させることができる。
【００６６】
また、図１０（Ａ）〜図１０（Ｅ）に示したプッシュロッド１０の復動の過程で、フォロア１３の摺動子４１が第２カム突起３４のカム面３４ｂから係脱し、その後にプッシュロッド１０の摺動子４０がカム孔３０の側面３０ｂから係脱しており、フォロア１３の回転が先に完了されている。フォロア１３の回転を先に完了させることにより、フォロア１３の摺動子４１がフォロアガイド部３５に係合する時点で、プッシュロッド１０のリッド係止部１１とフューエルリッド３の被係止部１２との係合を維持しておき、プッシュロッド１０に押圧されたフューエルリッド３が跳ね上がることを防止できる。好ましくは、摺動子４１が第２カム突起３４のカム面３４ｂから係脱してフォロア１３の回転が完了すると同時に、若しくはフォロア１３の回転が完了した後に、摺動子４０がカム孔３０の側面３０ｂに係合してプッシュロッド１０の回転が開始される。
【００６７】
なお、プッシュロッド１０の復動の過程でのプッシュロッド１０及びフォロア１３の回転完了のタイミングの相対的な関係は、プッシュロッド１０の摺動子４０とフォロア１３の摺動子４１との間の軸方向の距離Ｄ２、及び摺動子４０との係合の終点となるカム孔３０の側面３０ｂの上縁と摺動子４１との係合の終点となる第２カム突起３４のカム面３４ｂの上縁との間の軸方向の距離ｄ２の関係に基づいて適宜設定でき、距離ｄ２を距離Ｄ２よりも大きくすることによって、フォロア１３の回転を先に完了させることができる。
【００６８】
次に、施錠部１５について説明する。
【００６９】
図１１及び図１２は施錠部１５の構成を示す。
【００７０】
施錠部１５は、プッシュロッド１０を係止する係止部材５０と、係止部材５０を駆動するモータ５１及びウォームギヤ５２とを含んで構成されている。
【００７１】
モータ５１は、図示しない車両の制御部によって制御されており、例えば車両のドアに設けられるドアラッチ装置のロック／アンロック動作に連動して、ドアがロックされた際にプッシュロッド１０を係止し、ドアがアンロックされた際にプッシュロッド１０を解放するように、係止部材５０を駆動する。
【００７２】
係止部材５０は、プッシュロッド１０の中心軸Ｏと略直交する方向に前後移動可能にベース２０に支持されており、モータ５１及びウォームギヤ５２によって移動される。係止部材５０には、収容部２４を構成する第１部分２４ａの外周に沿うように形成された係止部５３が設けられており、この係止部５３には、収容部２４のガイド孔３２（図５参照）に重なり、ガイド孔３２の延在方向に交差する一組の対向側面を有する係止溝５４が形成されている。
【００７３】
フューエルリッド３を閉状態でロックする押込位置Ｐ１にプッシュロッド１０があるときに、プッシュロッド１０の摺動子４０は、上述のとおり収容部２４のガイド孔３２に位置しており、このガイド孔３２を通して収容部２４の外径側に突出している。このとき、係止部材５０がプッシュロッド１０に向けて移動されると、摺動子４０は、係止溝５４に収容され、ガイド孔３２の対向側面及び係止溝５４の対向側面に囲まれて移動不能に保持される。それにより、プッシュロッド１０は押込位置Ｐ１に保持された状態でロックされ、フューエルリッド３の閉状態でのロックがより確実なものとなる。
【００７４】
一方、プッシュロッド１０が突出位置Ｐ２にあるときに、プッシュロッド１０の摺動子４０は、上述のとおり収容部２４のガイド孔３１に位置しており、このガイド孔３１を通して収容部２４の外径側に突出している。このとき、係止部材５０がプッシュロッド１０に向けて移動されたとしても、係止部５３と摺動子４０の端面４０ａとが当接し、係止部材５０はその移動を阻止される。それにより、プッシュロッド１０の誤ロックが防止される。
【００７５】
このように、摺動子４０を係止部材５０によって係止してプッシュロッド１０をロックするようにすれば、係止部材５０と係合する係合部をプッシュロッド１０に別途設けておく必要がなく、プッシュロッド１０の構成を簡素化することができる。
【００７６】
なお、係止部材５０には、ケース１６の外側に露呈する操作部５５が設けられており、例えば車両の電気系統に不具合が生じてモータ５１の駆動に支障が生じた際などには、操作部５５に対する手動操作によって、プッシュロッド１０と係止部材５０との係合を解除することができる。
【００７７】
以上説明したとおり、開閉装置１では、プッシュロッド１０の軸方向の移動に伴ってプッシュロッド１０とフォロア１３とが互いに独立して回転されるように構成されており、フューエルリッド３をロック／アンロックするためのプッシュロッド１０の回転の角度及びタイミング、並びにプッシュロッド１０を押込位置Ｐ１に保持するためのフォロア１３の回転の角度及びタイミングを、各々適正に設定することができる。それにより、開閉装置１の動作信頼性を高めることができる。
【００７８】
そして、開閉装置１では、フォロア１３がプッシュロッド１０に対して相対回転可能に且つ軸方向にプッシュロッド１０と一体に移動するようにプッシュロッド１０に組み付けられており、プッシュロッド１０の軸方向の移動をフォロア１３に伝達するリンクが不要である。それにより、開閉装置１を小型化することができる。
【００７９】
なお、上述した開閉装置１の構成は、フューエルリッド３と同様に、前後に開閉する扉や蓋などのフラップの開閉装置にも適用することができる。
【００８０】
本開示には、以下の事項が開示されている。
【００８１】
（１）  フューエルリッドを係止する係止部を有し、中心軸まわりに回転可能に設けられ、前記係止部をフューエルリッドに係合させるロック姿勢と前記係止部をフューエルリッドから係脱させるアンロック姿勢との間を遷移し、且つ軸方向に移動可能に設けられ、フューエルリッドを閉じる押込位置とフューエルリッドを開く突出位置とを往復するプッシュロッドと、前記中心軸まわりに前記プッシュロッドに対して相対回転可能に前記プッシュロッドに組み付けられ、前記軸方向に前記プッシュロッドと一体に移動するフォロアと、前記プッシュロッドを突出方向に付勢する付勢部材と、前記プッシュロッド及び前記フォロア並びに前記付勢部材を支持するケースと、を備え、前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、を有しており、前記フォロア用カム部は、前記フォロアを係止することによって前記付勢部材による付勢に抗して前記プッシュロッドを前記押込位置に保持する複数のフォロア係止部を含み、該複数のフォロア係止部は、前記中心軸を中心として、前記押込位置と前記突出位置とを１往復する際の前記プッシュロッドの移動に伴う前記フォロアの回転の回転角度おきに設けられているフューエルリッドの開閉装置。
（２）  （１）に記載のフューエルリッドの開閉装置であって、前記プッシュロッドの前記往動及び前記復動に伴う前記フォロアの回転の回転角度と、前記ロック姿勢と前記アンロック姿勢との間の前記プッシュロッドの回転角度とは互いに異なるフューエルリッドの開閉装置。
（３）  （２）に記載のフューエルリッドの開閉装置であって、前記プッシュロッドの前記往動及び前記復動に伴う前記フォロアの回転の回転角度は、前記ロック姿勢と前記アンロック姿勢との間の前記プッシュロッドの回転角度よりも小さいフューエルリッドの開閉装置。
（４）  （３）に記載のフューエルリッドの開閉装置であって、前記フォロアの回転に伴って該フォロアに摺接する前記フォロア用カム部のカム面の前記軸方向の長さは、前記プッシュロッドの回転に伴って該プッシュロッドに摺接する前記ロッド用カム部のカム面の前記軸方向の長さよりも短いフューエルリッドの開閉装置。
（５）  （１）に記載のフューエルリッドの開閉装置であって、前記プッシュロッドの前記往動において、前記プッシュロッドの回転に伴って該プッシュロッドに摺接する前記ロッド用カム部のカム面と前記プッシュロッドとが係合するタイミングと、前記フォロアの回転に伴って該フォロアに摺接する前記フォロア用カム部のカム面と前記フォロアとが係合するタイミングとは互いに異なるフューエルリッドの開閉装置。
（６）  （５）に記載のフューエルリッドの開閉装置であって、前記プッシュロッドが前記ロッド用カム部の前記カム面に係合し、その後に前記フォロアが前記フォロア用カム部の前記カム面に係合するフューエルリッドの開閉装置。
（７）  （６）に記載のフューエルリッドの開閉装置であって、前記プッシュロッドが前記ロッド用カム部の前記カム面から係脱し、それと同時に又はその後に前記フォロアが前記フォロア用カム部の前記カム面に係合するフューエルリッドの開閉装置。
（８）  （１）に記載のフューエルリッドの開閉装置であって、前記プッシュロッドの前記復動において、前記プッシュロッドの回転に伴って該プッシュロッドに摺接する前記ロッド用カム部のカム面から前記プッシュロッドが係脱するタイミングと、前記フォロアの回転に伴って該フォロアに摺接する前記フォロア用カム部のカム面から前記フォロアが係脱するタイミングとは互いに異なるフューエルリッドの開閉装置。
（９）  （８）に記載のフューエルリッドの開閉装置であって、前記フォロアが前記フォロア用カム部の前記カム面から係脱し、その後に前記プッシュロッドが前記ロッド用カム部の前記カム面から係脱するフューエルリッドの開閉装置。
（１０）  （９）に記載のフューエルリッドの開閉装置であって、前記フォロアが前記フォロア用カム部の前記カム面から係脱し、それと同時に又はその後に前記プッシュロッドが前記ロッド用カム部の前記カム面に係合するフューエルリッドの開閉装置。
（１１）  （１）に記載のフューエルリッドの開閉装置であって、前記フォロアは、環状に形成され、前記プッシュロッドに外嵌しているフューエルリッドの開閉装置。
（１２）  （１）に記載のフューエルリッドの開閉装置であって、前記ケースは、第１部材と、前記軸方向に該第１部材に組み付けられる第２部材とを含み、前記プッシュロッドが押込方向に移動される際に該プッシュロッドが摺動する前記ロッド用カム部のカム面及び前記フォロアが摺動する前記フォロア用カム部のカム面は前記第１部材に設けられており、前記プッシュロッドが突出方向に移動される際に該プッシュロッドが摺動する前記ロッド用カム部のカム面及び前記フォロアが摺動する前記フォロア用カム部のカム面は前記第２部材に設けられているフューエルリッドの開閉装置。
（１３）  （１）に記載のフューエルリッドの開閉装置であって、前記プッシュロッドが押込位置に保持された状態で該プッシュロッドをロックする施錠部をさらに備えるフューエルリッドの開閉装置。
（１４）  （１３）に記載のフューエルリッドの開閉装置であって、前記施錠部は、前記プッシュロッドの前記ロッド用カム部との係合部を係止するフューエルリッドの開閉装置。
（１５）  前後に開閉するフラップを係止する係止部を有し、中心軸まわりに回転可能に設けられ、前記係止部をフラップに係合させるロック姿勢とアンロック姿勢との間で遷移し、且つ軸方向に移動可能に設けられ、フラップを閉じる押込位置とフラップを開く突出位置とを往復するプッシュロッドと、前記中心軸まわりに前記プッシュロッドに対して相対回転可能に前記プッシュロッドに組み付けられ、前記軸方向に前記プッシュロッドと一体に移動するフォロアと、前記プッシュロッドを突出方向に付勢する付勢部材と、前記プッシュロッド及び前記フォロア並びに前記付勢部材を支持するケースと、を備え、前記ケースは、前記突出位置から前記押込位置への前記プッシュロッドの往動に応じて前記プッシュロッドを前記ロック姿勢に回転させ、また前記押込位置から前記突出位置への前記プッシュロッドの復動に応じて前記プッシュロッドを前記アンロック姿勢に回転させるロッド用カム部と、前記プッシュロッドの前記往動及び前記復動に応じて、前記中心軸を中心とする所定の回転方向に前記フォロアを回転させるフォロア用カム部と、を有しており、前記フォロア用カム部は、前記フォロアを係止することによって前記付勢部材による付勢に抗して前記プッシュロッドを前記押込位置に保持する複数のフォロア係止部を含み、該複数のフォロア係止部は、前記中心軸を中心として、前記押込位置と前記突出位置とを１往復する際の前記プッシュロッドの移動に伴う前記フォロアの回転の回転角度おきに設けられているフラップの開閉装置。
【符号の説明】
【００８２】
１     開閉装置
２     燃料補給口
３     フューエルリッド
１０   プッシュロッド
１１   リッド係止部
１３   フォロア
１４   コイルばね
１６   ケース
２５   ロッド用カム部
２６   フォロア用カム部
３６   フォロア係止部
【図１】
2014173422.tif 000003
【図２】
2014173422.tif 000004
【図３】
2014173422.tif 000005
【図４】
2014173422.tif 000006
【図５】
2014173422.tif 000007
【図６】
2014173422.tif 000008
【図７】
2014173422.tif 000009
【図８】
2014173422.tif 000010
【図９】
2014173422.tif 000011
【図１０】
2014173422.tif 000012
【図１１】
2014173422.tif 000013
【図１２】
2014173422.tif 000014